(57)【要約】【課題】ログ材を１本ずつ組み上げて構築した雰囲気を与えることができ、且つ構築の手間とコストとを大幅に軽減することのできるログハウス用パネル、及びそのパネルにより構成されたパネル式ログハウスを提供する。【解決手段】所定の長さを有する少なくとも１本の短尺ログ材３Ａと、前記短尺ログ材の上に重ねられた、前記短尺ログ材よりも長く形成された少なくとも１本の長尺ログ材３Ｂと、前記短尺ログ材が重ねられた前記長尺ログ材の両端側下面であって、かつ前記短尺ログ材の端部に対応した位置に形成された一対の欠き込み５と、を有するパネル本体Ｐ２，Ｐ３，Ｐ４，Ｐ５を備え、前記パネル本体の欠き込み５が交差する他のパネル本体の上端部に嵌合された状態で、前記長尺ログ材３Ｂの両端部により、前記交差部から外方に突出するログエンドが形成される。【選択図】図３
2016041862.tif 000002
【特許請求の範囲】
【請求項１】
複数枚を組み合わせてログハウスの壁部を構成するログハウス用パネルであって、
所定の長さを有する少なくとも１本の短尺ログ材と、
前記短尺ログ材の上に重ねられた、前記短尺ログ材よりも長く形成された少なくとも１本の長尺ログ材と、
前記短尺ログ材が重ねられた前記長尺ログ材の両端側下面であって、かつ前記短尺ログ材の端部に対応した位置に形成された一対の欠き込みと、
を有するパネル本体を備え、
前記パネル本体の欠き込みが交差する他のパネル本体の上端部に嵌合された状態で、前記長尺ログ材の両端部により、前記交差部から外方に突出するログエンドが形成されることを特徴とするログハウス用パネル。
【請求項２】
前記パネル本体は、複数のログ材が奇数段に重ねられ、
前記欠き込みの深さが、前記長尺ログ材の高さの半分の寸法に形成されることにより、
前記パネル本体における、短尺の部分の高さ寸法と、長尺の部分の高さ寸法とが等しくなされていることを特徴とする請求項１に記載されたログハウス用パネル。
【請求項３】
複数枚のパネルを縦に繋いで壁部を構成するパネル式ログハウスであって、
所定の長さを有する少なくとも１本の短尺ログ材と、
前記短尺ログ材の上に重ねられた、前記短尺ログ材よりも長く形成された少なくとも１本の長尺ログ材と、
前記短尺ログ材が重ねられた前記長尺ログ材の両端側下面であって、かつ前記短尺ログ材の端部に対応した位置に形成された一対の欠き込みと、
を有するパネル本体を備え、
前記パネル本体の欠き込みが交差する他のパネル本体の上端部に嵌合された状態で、前記長尺ログ材の両端部により、前記交差部から外方に突出するログエンドが形成されることを特徴とするパネル式ログハウス。
【請求項４】
前記パネルは、複数のログ材が奇数段に重ねられ、
前記欠き込みの深さが、前記長尺ログ材の高さの半分の寸法に形成されることにより、
前記パネルにおける、短尺の部分の高さ寸法と、長尺の部分の高さ寸法とが等しくなされていることを特徴とする請求項３に記載されたパネル式ログハウス。
【請求項５】
前記パネルの欠き込みが交差する他のパネルの上端部に嵌合された状態で、前記ログエンドの下方に配置されるログエンド部材を備えることを特徴とする請求項３または請求項４に記載されたパネル式ログハウス。
【発明の詳細な説明】
【技術分野】
【０００１】
本発明は、ログハウス用パネル及びパネル式ログハウスに関し、特にログハウスの壁部を構成するためのログハウス用パネル及び、そのパネルにより構成されたパネル式ログハウスに関する。
【背景技術】
【０００２】
従来、ログハウスの壁部を構築する場合、丸太材或いは柱状角材（これらを纏めてログ材と呼ぶ）を１本ずつ組み上げて四方の壁を形成するものである。ここで、図１２に示すように、各ログ材５１は、その長手方向の両端側の下面に欠き込み５２（ノッチ）が形成されており、前記欠き込み５２を、コーナー部５０において交差する他のログ材５１の上から嵌合させて積み重ねる作業を順次行うことにより壁部が構築される。
しかしながら、この一般的に行われてきた構築方法にあっては、多数のログ材５１をハウス設置場所まで運搬した後、１本ずつ積み上げていく必要があるため、多大な手間と労力を要していた。
【０００３】
このような課題に対し、特許文献１には、壁部をユニット化することにより簡単に構築することのできるログハウスが開示されている。
詳しく説明すると、図１３に示すように、ログハウス６０は、ユニット化された４枚の壁部６１、６２（同形状が２枚ずつ）と、矩形環状の基礎部材６３と、基礎部材６３の４つのコーナー部に立設された４つの柱部材６４とを備える。
【０００４】
図１４に示すように、前記柱部材６４の側面（他の柱部材６４と向き合う面）には、溝状に縦方向に延びる溝部６５が形成され、前記溝部６５に壁部６１，６２の左右端部がそれぞれ嵌め込まれる。また、柱部材６４中に設けられたナット６６に対しボルト６７を螺入することにより前記溝部６５に嵌入された壁部６１，６２が柱部材６４に結合されるようになっている。
ここで、前記４枚の壁部６１，６２は、それぞれ複数本のログ材が工場等で予め積み上げられて構成されたものであり、設置場所においての組立作業にかかる時間と労力を大幅に軽減することができる。
【先行技術文献】
【特許文献】
【０００５】
【特許文献１】特開２０１２−２４６７４３号公報
【発明の概要】
【発明が解決しようとする課題】
【０００６】
しかしながら、特許文献１に開示されたログハウスにあっては、前記したように柱部材６４の側面に形成された溝部６５に対し壁部６１，６２の端部を嵌め込むものであるため、コーナー部５０から外方に突出するログエンド部分が無く、一般的なログハウスの外観が得られないという課題があった。
【０００７】
本発明は、前記した点に着目してなされたものであり、複数のログ材を積み上げて構成するログハウスにおいて、ログ材を１本ずつ組み上げて構築した雰囲気を与えることができ、且つ構築の手間とコストとを大幅に軽減することのできるログハウス用パネル、及びそのパネルにより構成されたパネル式ログハウスを提供することを目的とする。
【課題を解決するための手段】
【０００８】
前記した課題を解決するために、本発明に係るログハウス用パネルは、複数枚を組み合わせてログハウスの壁部を構成するログハウス用パネルであって、所定の長さを有する少なくとも１本の短尺ログ材と、前記短尺ログ材の上に重ねられた、前記短尺ログ材よりも長く形成された少なくとも１本の長尺ログ材と、前記短尺ログ材が重ねられた前記長尺ログ材の両端側下面であって、かつ前記短尺ログ材の端部に対応した位置に形成された一対の欠き込みと、を有するパネル本体を備え、前記パネル本体の欠き込みが交差する他のパネル本体の上端部に嵌合された状態で、前記長尺ログ材の両端部により、前記交差部から外方に突出するログエンドが形成されることを特徴としている。
【０００９】
このように構成することにより、容易かつ短時間のうちにログハウスの壁部を構築できるとともに、コーナー部に外方に突出するログエンド部分を形成することができ、ログ材を１本ずつ組み上げて構築した雰囲気を与えることができる。また、従来の１本ずつログ材を積み重ねる工法よりも構築の手間とコストとを大幅に軽減することができる。
【００１０】
ここで、前記パネル本体は、複数のログ材が奇数段に重ねられ、前記欠き込みの深さが、前記長尺ログ材の高さの半分の寸法に形成されることにより、前記パネル本体における、短尺の部分の高さ寸法と、長尺の部分の高さ寸法とが等しくなされていることが望ましい。
このようにパネル本体を構成することにより、同形状のパネル本体を交差する方向に交互に重ねて壁部を構築することができる。即ち、パネル本体の汎用性により、コストの低下や生産性を向上することができる。
【００１１】
また、前記した課題を解決するために、本発明に係るパネル式ログハウスは、複数枚のパネルを縦に繋いで壁部を構成するパネル式ログハウスであって、所定の長さを有する少なくとも１本の短尺ログ材と、前記短尺ログ材の上に重ねられた、前記短尺ログ材よりも長く形成された少なくとも１本の長尺ログ材と、前記短尺ログ材が重ねられた前記長尺ログ材の両端側下面であって、かつ前記短尺ログ材の端部に対応した位置に形成された一対の欠き込みと、を有するパネル本体を備え、前記パネル本体の欠き込みが交差する他のパネル本体の上端部に嵌合された状態で、前記長尺ログ材の両端部により、前記交差部から外方に突出するログエンドが形成されることを特徴としている。
【００１２】
このように構成することにより、容易かつ短時間のうちにログハウスの壁部を構築できるとともに、コーナー部に外方に突出するログエンド部分を形成することができ、ログ材を１本ずつ組み上げて構築した雰囲気を与えることができる。また、従来の１本ずつログ材を積み重ねる工法よりも構築の手間とコストとを大幅に軽減することができる。
【００１３】
ここで、前記パネルは、複数のログ材が奇数段に重ねられ、前記欠き込みの深さが、前記長尺ログ材の高さの半分の寸法に形成されることにより、前記パネルにおける、短尺の部分の高さ寸法と、長尺の部分の高さ寸法とが等しくなされていることが望ましい。
このようなパネルの構成とすることにより、同形状のパネルを交差する方向に交互に重ねて壁部を構築することができる。即ち、パネルの汎用性により、コストの低下や生産性を向上することができる。
【００１４】
また、前記パネルの欠き込みが交差する他のパネルの上端部に嵌合された状態で、前記ログエンドの下方に配置されるログエンド部材を備えることが望ましい。
このようにログエンド部材を備えることにより、ログエンド部分をより完全に再現することができる。
【発明の効果】
【００１５】
本発明によれば、複数のログ材を積み上げて構成するログハウスにおいて、ログ材を１本ずつ組み上げて構築した雰囲気を与えることができ、且つ構築の手間とコストとを大幅に軽減することのできるログハウス用パネル、及びそのパネルにより構成されたパネル式ログハウスを得ることができる。
【図面の簡単な説明】
【００１６】
【図１】図１は、本発明に係るパネル式ログハウスの斜視図である。
【図２】図２は、図１のパネル式ログハウスを構成する一のパネルの構成部材であるログ材の斜視図である。
【図３】図３は、図２のログ材を積み重ねて構成されたパネルの斜視図である。
【図４】図４は、図１のパネル式ログハウスを構成する各パネルについて説明するための斜視図である。
【図５】図５は、図１のパネル式ログハウスを構築する工程を説明するための斜視図である。
【図６】図６は、図１のパネル式ログハウスを構築する工程を説明するための斜視図である。
【図７】図７は、図１のパネル式ログハウスを構築する工程を説明するための斜視図である。
【図８】図８は、図１のパネル式ログハウスを構築する工程を説明するための斜視図である。
【図９】図９は、図１のパネル式ログハウスを構築する工程を説明するための斜視図である。
【図１０】図１０は、図１のパネル式ログハウスを構築する工程を説明するための斜視図である。
【図１１】図１１は、図１のパネル式ログハウスを構築する工程を説明するための斜視図である。
【図１２】図１２は、従来のログハウスの構成を示す斜視図である。
【図１３】図１３は、従来のログハウスの他の構成を示す斜視図である。
【図１４】図１４は、図１３のログハウスの構成部材である柱部材の平断面図である。
【発明を実施するための形態】
【００１７】
以下、本発明に係るログハウス用パネル、及びそのパネルにより構成されたパネル式ログハウスの実施の形態を図面に基づき説明する。
図１は、本発明に係るパネル式ログハウスの斜視図である。また、図２乃至図４は、図１のパネル式ログハウスを構成する各パネルについて説明するための斜視図である。また、図５乃至図１１は、それぞれ図１のパネル式ログハウスを構築する工程を説明するための斜視図である。
【００１８】
図１に示すパネル式ログハウス（以下、単にログハウスと称する）１は、四方の壁部Ｗ（Ｗ１、Ｗ２、Ｗ３、Ｗ４）を有する。前記壁部Ｗは、それぞれ複数のユニット状のパネル（パネル本体）が組み合わされてなる。また、各パネルは、複数のログ材３（本実施の形態においては角材）が積み上げられて形成された板状の部材である。また、ログ材３として、短尺ログ材と長尺ログ材とが用いられる。本実施の形態において、短尺ログ材とは、ログハウスの壁部の幅の長さ（ログ材が交差する欠き込み部分よりも内側の壁幅の長さ）のログ材を示す。また、長尺ログ材とは、欠き込み部分よりも外側に突出したログエンドまで加えた長さのログ材を示す。尚、短尺ログ材と長尺ログ材の高さ寸法及び奥行き方向の厚さ寸法は同一とする。
【００１９】
具体的に説明すると、壁部Ｗ１、Ｗ３は、それぞれ下からパネルＰ１、Ｐ２、Ｐ３と、１本のログ材３とが順に積み重ねられて構成される。また、壁部Ｗ２、Ｗ４は、それぞれ下から１本のログ材３と、パネルＰ４、Ｐ５、Ｐ６とが順に積み重ねられて構成されている。
【００２０】
パネルＰ２、Ｐ３、Ｐ４、Ｐ５は同形状であって、図２に示すように５本のログ材３が積み重ねられてパネル状に構成される。即ち、図３に示すように、２本の短尺ログ材３Ａと３本の長尺ログ材３Ｂとが順に積み重ねられ、接着剤、ボルト、或いはダボ等を用いて一体的に形成される。
また、短尺ログ材３Ａに接する長尺ログ材３Ｂにおいて、短尺ログ材３Ａの左右に突出する両端側の下面に短尺ログ材３Ａの幅（長さ）に合わせて一対の欠き込み５が形成されている。即ち、前記短尺ログ材３Ａが重ねられた前記長尺ログ材３Ｂの両端側下面であって、かつ前記短尺ログ材３Ａの端部に対応した位置に一対の欠き込み５が形成されている。
この欠き込み５の深さ寸法は、長尺ログ材３Ｂの高さの半分の寸法となされている。
【００２１】
このように奇数本のログ材３が積み重ねられてパネルが形成され、前記長尺ログ材３Ｂの欠き込み５の深さ寸法が、ログ材３の高さの半分の寸法となされることにより、パネルにおける短尺の部分の高さ寸法と、長尺の部分の高さ寸法とが等しくなされている。また、それにより後述するように、同形状のパネルＰ２〜Ｐ５を交差する方向に交互に重ねて壁部Ｗを構築することが可能となっている。
【００２２】
また、図４に示すように、パネルＰ１は、３本の長尺ログ材３Ｂが積み重ねられ、接着剤、ボルト、或いはダボ等を用いて一体的に形成される。また、一番下の長尺ログ材３Ｂの両端側の下端面にはそれぞれ欠き込み８が形成されている。一対の欠き込み８の間隔は、壁部Ｗの幅寸法に対応している。また、この欠き込み８の深さ寸法は、長尺ログ材３Ｂの高さ寸法の半分の寸法となされている。
【００２３】
また、パネルＰ６は、２本の短尺ログ材３Ａと１本の長尺ログ材３Ｂとが順に積み重ねられ、接着剤、ボルト、或いはダボ等を用いて一体的に形成される。また、長尺ログ材３Ｂにおいて、短尺ログ材３Ａの左右に突出する両端側の下面に短尺ログ材３Ａの幅（長さ）に合わせて一対の欠き込み５が形成されている。即ち、前記短尺ログ材３Ａが重ねられた前記長尺ログ材３Ｂの両端側下面であって、かつ前記短尺ログ材３Ａの端部に対応した位置に一対の欠き込み５が形成されている。
この欠き込み５の深さ寸法は、長尺ログ材３Ｂの高さの半分の寸法となされている。
【００２４】
また、図４に示すように、このログハウス１の構築にあっては、壁部Ｗの上端部或いは下端部の隙間を埋めるための短尺ログ材３Ｃと長尺ログ材３Ｄとが用いられる。
前記短尺ログ材３Ｃ及び壁部材Ｐ２〜Ｐ６の短尺ログ材３Ａ使用部分においては、ログハウス１に組み込んだ際、壁より外側に突出するログエンドの部分がないため、別途、ログエンド部材６，７が用いられるようになっている。
尚、このログエンド部材６、７においても、複数のログエンド部材を、接着剤、ボルト、或いはダボ等を用いて一体的に形成したものを用いても良い。
【００２５】
続いて、前記のようなパネルを用いたログハウス１の構築方法について説明する。
先ず、図５に示すように設置面に一対の長尺ログ材３Ｄをｙ方向に所定の間隔（壁部Ｗ２，Ｗ４の間隔（幅寸法））を空けて平行に載置し、それらに直交するように一対のパネルＰ１をｘ方向に平行にして所定の間隔（壁部Ｗ１，Ｗ３の（幅寸法）間隔寸法）を空けて重ねる。このとき、長尺ログ材３Ｄの両端側においてパネルＰ１の下端面に設けられている欠き込み８が嵌め込まれ、接着剤、ボルト、或いはダボ等の結合手段を用いて、固定される。
【００２６】
次いで、図６に示すように前記一対の長尺ログ材３Ｄの上に、一対のパネルＰ４をｙ方向に平行にしてｚ方向に積み重ねる。このとき、パネルＰ４の短尺部分Ｐ４ａが直交配置された一対のパネルＰ１の間に嵌め込まれる。また、長尺部分Ｐ４ｂの両端側に形成された欠き込み５が前記一対のパネルＰ１の両端側の上端部に嵌め込まれる。前記パネルＰ４とパネルＰ１との接触部分は接着剤、ボルト、或いはダボ等の結合手段により結合される。
ここで、パネルＰ４の長尺部分Ｐ４ａの両端は、ログエンドとして一対のパネルＰ１の外側に配置されることになる。また、このとき前記長尺部分Ｐ４ａの下方に隙間が生じないようにログエンド部材７が配置され、接着剤、ボルト、或いはダボ等の結合手段により結合される。
【００２７】
また、図７に示すように前記一対のパネルＰ１の上に、一対のパネルＰ２をｘ方向に平行にしてｚ方向に積み重ねる。このとき、パネルＰ２の短尺部分Ｐ２ａが直交配置された一対のパネルＰ４の間に嵌め込まれる。また、長尺部分Ｐ２ｂの両端側に形成された欠き込み５が前記一対のパネルＰ４の両端側の上端部に嵌め込まれる。前記パネルＰ２とパネルＰ１、Ｐ４との接触部分は接着剤、ボルト、或いはダボ等の結合手段により結合される。
ここで、パネルＰ２の長尺部分Ｐ２ｂの両端は、ログエンドとして一対のパネルＰ４の外側に配置されることになる。また、このとき前記長尺部分Ｐ２ｂの下方に隙間が生じないようにログエンド部材７が配置され、接着剤、ボルト、或いはダボ等の結合手段により結合される。
【００２８】
次に、図８に示すように前記一対のパネルＰ４の上に、一対のパネルＰ５をｙ方向に平行にしてｚ方向に積み重ねる。このとき、パネルＰ５の短尺部分Ｐ５ａが直交配置された一対のパネルＰ２の間に嵌め込まれる。また、長尺部分Ｐ５ｂの両端側に形成された欠き込み５が前記一対のパネルＰ２の両端側の上端部に嵌め込まれる。前記パネルＰ５とパネルＰ２、Ｐ４との接触部分は接着剤、ボルト、或いはダボ等の結合手段により結合される。
ここで、パネルＰ５の長尺部分Ｐ５ｂの両端は、ログエンドとして一対のパネルＰ２の外側に配置されることになる。また、このとき前記長尺部分Ｐ５ａの下方に隙間が生じないようにログエンド部材７が配置され、接着剤、ボルト、或いはダボ等の結合手段により結合される。
【００２９】
また、図９に示すように前記一対のパネルＰ２の上に、一対のパネルＰ３をｘ方向に平行にしてｚ方向に積み重ねる。このとき、パネルＰ３の短尺部分Ｐ３ａが直交配置された一対のパネルＰ５の間に嵌め込まれる。また、長尺部分Ｐ３ｂの両端側に形成された欠き込み５が前記一対のパネルＰ５の両端側の上端部に嵌め込まれる。前記パネルＰ３とパネルＰ２、Ｐ５との接触部分は接着剤、ボルト、或いはダボ等の結合手段により接合される。
ここで、パネルＰ３の長尺部分Ｐ３ｂの両端は、ログエンドとして一対のパネルＰ５の外側に配置されることになる。また、このとき前記長尺部分Ｐ３ｂの下方に隙間が生じないようにログエンド部材７が配置され、接着剤、ボルト、或いはダボ等の結合手段により結合される。
【００３０】
また、図１０に示すように前記一対のパネルＰ５の上に、一対のパネルＰ６をｙ方向に平行にしてｚ方向に積み重ねる。このとき、パネルＰ６の短尺部分Ｐ６ａが直交配置された一対のパネルＰ３の間に嵌め込まれる。また、長尺部分Ｐ６ｂの両端側に形成された欠き込み９が前記一対のパネルＰ３の両端側の上端部に嵌め込まれる。前記パネルＰ６とパネルＰ３、Ｐ５との接触部分は接着剤、ボルト、或いはダボ等の結合手段により結合される。
ここで、パネルＰ６の長尺部分Ｐ６ｂの両端は、ログエンドとして一対のパネルＰ３の外側に配置されることになる。また、このとき前記長尺部分Ｐ６ｂの下方に隙間が生じないようにログエンド部材７が配置され、接着剤、ボルト、或いはダボ等の結合手段により結合される。
【００３１】
そして、図１１に示すように前記一対のパネルＰ３の上に、一対の短尺ログ材３Ｃをｘ方向に平行にしてｚ方向に積み重ねる。このとき、短尺ログ材３Ｃは、直交配置された一対のパネルＰ６の間に嵌め込まれる。前記短尺ログ材３ＣとパネルＰ３、Ｐ６との接触部分は接着剤、ボルト、或いはダボ等の結合手段により結合される。
ここで、短尺ログ材３Ｃの高さ位置において一対のパネルＰ６の外側に隙間が生じないようにログエンド部材６が配置され、接着剤、ボルト、或いはダボ等の結合手段により結合される。
【００３２】
以上のようにして、図１に示したようなパネル式ログハウス１が構築されることになる。即ち、このパネル式ログハウス１によれば、パネル単位で壁部Ｗを構築するにも拘わらず、コーナー部に外方に突出するログエンド部分を形成することができ、ログ材を１本ずつ組み上げて構築した雰囲気を与えることができる。また、従来の１本ずつログ材を積み重ねる工法よりも構築の手間とコストとを大幅に軽減することができる。
【００３３】
尚、前記実施の形態においては、ログ材として角材を用いるものとしたが、角材に限らず丸太材を用いてもよい。
また、前記実施の形態において、前記パネル本体の欠き込みが嵌合する他のパネル本体の上端部に加工を施さない場合を示したが、他のパネル本体の上端部に、前記パネル本体の欠き込みが嵌めこまれる凹部等を形成しても良い。
【００３４】
また、前記実施の形態においては、短尺ログ材３Ａと長尺ログ材３Ｂとを合わせて５本を用いてパネルＰ２〜Ｐ５を構成するようにしたが、本発明にあっては、その本数に限定されるものではない。即ち、奇数本を用いてパネルを構成することが望ましく、例えば、５本以上を用いてパネルを構成してもよい。
更にいえば、本発明にあっては、１枚のパネルを構成するログ材の数は奇数本に限定されるものではなく、偶数本であってもよい。
また、前記実施の形態においては、パネルを直交方向に交互に積み重ねて壁部を構築するものとしたが、本発明にあっては、それに限定されるものではなく、パネルを互いに交差する方向に交互に積み重ねて壁部を構築するようにしてもよい。
【符号の説明】
【００３５】
１          パネル式ログハウス
３          ログ材
３Ａ        短尺ログ材
３Ｂ        長尺ログ材
３Ｃ        短尺ログ材
３Ｄ        長尺ログ材
５          欠き込み
６          ログエンド部材
７          ログエンド部材
８          欠き込み
９          欠き込み
Ｐ１        パネル（パネル本体）
Ｐ２        パネル（パネル本体）
Ｐ３        パネル（パネル本体）
Ｐ４        パネル（パネル本体）
Ｐ５        パネル（パネル本体）
Ｐ６        パネル（パネル本体）
Ｗ１        壁部
Ｗ２        壁部
Ｗ３        壁部
Ｗ４        壁部
【図１】
2016041862.tif 000003
【図２】
2016041862.tif 000004
【図３】
2016041862.tif 000005
【図４】
2016041862.tif 000006
【図５】
2016041862.tif 000007
【図６】
2016041862.tif 000008
【図７】
2016041862.tif 000009
【図８】
2016041862.tif 000010
【図９】
2016041862.tif 000011
【図１０】
2016041862.tif 000012
【図１１】
2016041862.tif 000013
【図１２】
2016041862.tif 000014
【図１３】
2016041862.tif 000015
【図１４】
2016041862.tif 000016